(57)【特許請求の範囲】
【請求項１】
ケース１の一端上面に供給口２を、他端下面に排出口３を夫々設け、前記供給口２より端側の所定間隔をおいたケース１の一端側に受動側スプロケット５を、ケース１の他端側に駆動側スプロケット４を夫々設け、前記受動側スプロケット５と駆動側スプロケット４とにコンベアチエーン６を巻回し、該コンベアチエーン６には一定間隔を置いて移送板１０を取付け、該コンベアチエーン６は、前記移送板１０が駆動側スプロケット４からケース１内の上側を移動して受動側スプロケット５にて反転してケース１内の穀物を前記ケース１の他端下面に設けた排出口３へ搬送するように回転移動し、前記供給口２より端側で上側を移動するコンベアチエーン６よりも上方位置に、受動側スプロケット５の係合溝９の穀物を吹散させうるエアーノズル管１１を配設した横送チエーンコンベア。
【発明の詳細な説明】
【０００１】
【産業上の利用分野】
本発明は、横送チエーンコンベアに係るものである。
【０００２】
【従来技術】
従来、ケースの一端上面に供給口を、他端下面に排出口を夫々設け、前記ケースの他端側に設けた駆動側スプロケットとケースの一端側に設けた受動側スプロケットに一定間隔を置いて移送板を取付けたコンベアチエーンを巻回した横送チエーンコンベアは、公知である。
【０００３】
【発明が解決しようとする課題】
前記公知例は、供給口より穀物を供給すると、投入穀物の一部がチエーンとスプロケットに挟まれて噛み砕かれるという課題がある。
そのため、供給口を他端側に寄せて設けるという方法を講じたものがあったが、該公知例は全体が長く大型化するという課題がある。
また、コンベアチエーンの移動路に清掃ブラシを設けることもあるが、ブラシの場合は抜毛が穀物に混ざることがあって好ましくない。
【０００４】
【発明の目的】
穀粒の破砕現象の防止、装置全体の小型化、穀物への異物混入の防止。
【０００５】
【課題を解決するための手段】
よって、本発明は、ケース１の一端上面に供給口２を、他端下面に排出口３を夫々設け、前記供給口２より端側の所定間隔をおいたケース１の一端側に受動側スプロケット５を、ケース１の他端側に駆動側スプロケット４を夫々設け、前記受動側スプロケット５と駆動側スプロケット４とにコンベアチエーン６を巻回し、該コンベアチエーン６には一定間隔を置いて移送板１０を取付け、該コンベアチエーン６は、前記移送板１０が駆動側スプロケット４からケース１内の上側を移動して受動側スプロケット５にて反転してケース１内の穀物を前記ケース１の他端下面に設けた排出口３へ搬送するように回転移動し、前記供給口２より端側で上側を移動するコンベアチエーン６よりも上方位置に、受動側スプロケット５の係合溝９の穀物を吹散させうるエアーノズル管１１を配設した横送チエーンコンベアとしたものである。
【０００６】
【実施例】
本発明の実施例を図面により説明すると、１は横長の金属または木製のケース、２はケース１の一端上面に設けた供給口、３はケース１の他端下面に設けた排出口、４は他端側に設けた駆動側スプロケット、５はケース１の一端側に設けた受動側スプロケットで、駆動側スプロケット４と受動側スプロケット５にはコンベアチエーン６が巻回される。
【０００７】
前記コンベアチエーン６は一定の長さを有する金属製リンク７と樹脂製リンク７ａをピン８で次々に連結したもので、前記駆動側スプロケット４および受動側スプロケット５の係合溝９にピン８が係合してコンベアチエーン６を回転させる。前記コンベアチエーン６には一定間隔を置いて移送板１０が取付けられる。
このとき、樹脂製リンク７ａを利用すると、移送板１０の取付が容易にできる。
【０００８】
しかして、前記においてコンベアチエーン６を回転させて穀物を横移送させると、特に受動側スプロケット５の係合溝９に係合した穀物がピン８で噛み砕かれることがあり、これを防止するために本願は受動側スプロケット５の近傍にエアーノズル管１１を配設したものである。１２はエアーノズル管１１に複数設けたノズルである。
【０００９】
このエアーノズル管１１は係合溝９に係合した穀物を吹散させるものであるから、ブラシのようなものでも代用できるが、ブラシの場合は抜毛して穀物に混ざることがあって好ましくない。また、前記エアーノズル管１１はなるべく風を穀物の移送方向に吹くように取付けると良い。前記エアーノズル管１１の数は任意である。
【００１０】
また、前記受動側スプロケット５は係合溝９を有しないローラでも良く、ローラの場合も左右のリンク７とローラの間に入った穀物がピン８により砕かれるので、エアーノズル管１１は左右のリンク７とローラの間に入った穀物を吹散させる。
【００１１】
しかして、前記エアーノズル管１１には接続ホース１３を介して送風機（噴風機）１４を接続し、前記送風機１４からエアーノズル管１１に至る送風路中には開閉弁１５を設け、該開閉弁１５は前記駆動側スプロケット４への回転の入り切りに連動させてもよい。
【００１２】
また、前記送風機１４は、ブロワーあるいはコンプレッサー等により構成する。
図中、１６は上側を移動するコンベアチエーン６のチエン案内レール、１７はケース１内の穀物を寄せるスクレーパである。
【００１３】
【作用】
次に作用を述べる。
本願は上述の構成であるから、供給口２より穀物を供給すると、回動している移送板１０により横送され、排出口３より排出される。
このとき、従来のものにあっては、供給口２より供給した穀物が受動側スプロケット５の係合溝９に係合してピン８で砕かれる欠点があったが、本願は受動側スプロケット５の近傍位置にエアーノズル管１１を設けてあるので、係合溝９に係合した穀物はことごとく吹き飛ばされ、その欠点を解決する。
なお、ブラシによる清掃ではないから、抜毛が穀物に混入する惧れもない。
また、供給口２を受動側スプロケット５側に寄せて設けることができ、ケース１全体の長さを短くし、全体を小型化できる。
【００１４】
しかして、前記エアーノズル管１１には接続ホース１３を介して送風機１４を接続し、前記送風機１４からエアーノズル管１１に至る送風路中には開閉弁１５を設け、該開閉弁１５は前記駆動側スプロケット４の回転に連動させているから、前記コンベアチエーン６が回転しているときエアーノズル管１１は送風して穀物を吹散させる。したがって、省力化が図れる。
【００１５】
【効果】
本発明は、ケース１の一端上面に供給口２を、他端下面に排出口３を夫々設け、前記供給口２より端側の所定間隔をおいたケース１の一端側に受動側スプロケット５を、ケース１の他端側に駆動側スプロケット４を夫々設け、前記受動側スプロケット５と駆動側スプロケット４とにコンベアチエーン６を巻回し、該コンベアチエーン６には一定間隔を置いて移送板１０を取付け、該コンベアチエーン６は、前記移送板１０が駆動側スプロケット４からケース１内の上側を移動して受動側スプロケット５にて反転してケース１内の穀物を前記ケース１の他端下面に設けた排出口３へ搬送するように回転移動し、前記供給口２より端側で上側を移動するコンベアチエーン６よりも上方位置に、受動側スプロケット５の係合溝９の穀物を吹散させうるエアーノズル管１１を配設した横送チエーンコンベアとしたものであるから、受動側スプロケット５の近傍位置にエアーノズル管１１を設けてあるので、係合溝９に係合した穀物はことごとく吹き飛ばすので、穀粒の破砕現象を防止し、良好な穀物を得ることができる。
【図面の簡単な説明】
【図１】  全体の側面図。
【図２】  要部の縦断面図。
【図３】  図２の平面図。
【図４】  受動側スプロケット部分の断面図。
【符号の説明】
１…ケース、２…供給口、３…排出口、４…駆動側スプロケット、５…受動側スプロケット、６…コンベアチエーン、７…リンク、８…ピン、９…係合溝、１０…移送板、１１…エアーノズル管、１３…接続ホース、１４…送風機、１５…開閉弁、１６…チエン案内レール。
【図１】
0003694714.tif 000002
【図２】
0003694714.tif 000003
【図３】
0003694714.tif 000004
【図４】
0003694714.tif 000005